(57)【特許請求の範囲】
【請求項１】
基地局を介して通信を行う通信部と、
近距離通信を行う近距離通信部と、
位置情報を検出する位置検出部と、
特定の携帯通信装置に位置情報を送信する指示を検出した場合、前記特定の携帯通信装置に位置情報を送信する他の携帯通信装置との通信を前記近距離通信部に確立させるとともに、前記近距離通信部で前記他の携帯通信装置との通信が確立された場合、前記他の携帯通信装置から送信された位置情報および前記位置検出部で取得した位置情報の少なくとも一方を前記通信部から送信させる制御部と、を有し、
前記制御部は、前記近距離通信部を用いた通信で前記他の携帯通信装置から送信された位置情報を取得させる携帯通信装置。
【請求項２】
前記制御部は、前記近距離通信部で前記他の携帯通信装置との通信が確立されなかった場合、自機の位置情報を前記通信部で送信する請求項１に記載の携帯通信装置。
【請求項３】
基地局を介して通信を行う通信部と、
近距離通信を行う近距離通信部と、
位置情報を検出する位置検出部と、
特定の携帯通信装置に位置情報を送信する指示を検出した場合、前記特定の携帯通信装置に位置情報を送信する他の携帯通信装置との通信を前記近距離通信部に確立させるとともに、前記近距離通信部で前記他の携帯通信装置との通信が確立された場合、前記位置検出部で検出した位置情報を前記特定の携帯通信装置に前記通信部を介して送信させない制御部と、を有し、
前記制御部は、前記近距離通信部で前記他の携帯通信装置との通信が確立された場合、前記位置検出部で検出した位置情報を他の携帯通信装置に前記近距離通信部を介して送信させる携帯通信装置。
【請求項４】
基地局を介して通信を行う通信部と、
近距離通信を行う近距離通信部と、
自機の位置情報を検出する位置検出部と、
特定の携帯通信装置に位置情報を送信する指示を検出した場合、前記特定の携帯通信装置に位置情報を送信する他の携帯通信装置との通信を前記近距離通信部に確立させるとともに、前記近距離通信部で前記他の携帯通信装置との通信が確立された場合、前記他の携帯通信装置と自機のいずれか一方で、前記他の携帯通信装置から送信された位置情報および前記位置検出部で取得した位置情報の少なくとも一方を前記特定の携帯通信装置に送信する制御部と、
前記特定の携帯通信装置に前記位置情報を送信する設定を記憶した記憶部と、を有し、
前記制御部は、前記近距離通信部で前記他の携帯通信装置との通信が確立された場合、前記記憶部に設定された記憶に基づいて、前記通信部を介して位置情報を前記特定の携帯通信装置に送信させない処理、または、前記他の携帯通信装置から送信された位置情報と前記位置検出部で取得した位置情報とを前記通信部から送信させる処理を実行し、
前記制御部は、前記位置検出部で検出した位置情報を前記特定の携帯通信装置に前記通信部を介して送信させない場合、前記位置検出部で検出した位置情報を前記他の携帯通信装置に前記近距離通信部で送信させる携帯通信装置。
【請求項５】
基地局を介して通信を行う通信部と、
近距離通信を行う近距離通信部と、
自機の位置情報を検出する位置検出部と、
特定の携帯通信装置に位置情報を送信する指示を検出した場合、前記特定の携帯通信装置に位置情報を送信する他の携帯通信装置との通信を前記近距離通信部に確立させるとともに、前記近距離通信部で前記他の携帯通信装置との通信が確立された場合、前記他の携帯通信装置と自機のいずれか一方で、前記他の携帯通信装置から送信された位置情報および前記位置検出部で取得した位置情報の少なくとも一方を前記特定の携帯通信装置に送信する制御部と、を有し、
前記制御部は、前記近距離通信部で前記他の携帯通信装置と確立された通信がマスター側である場合、前記他の携帯通信装置から送信された位置情報と前記位置検出部で取得した位置情報を前記通信部から送信させ、
前記近距離通信部で前記他の携帯通信装置と確立された通信がスレーブ側である場合、前記位置検出部で検出した位置情報を前記特定の携帯通信装置に前記通信部を介して送信させず、
前記制御部は、前記位置検出部で検出した位置情報を前記特定の携帯通信装置に前記通信部を介して送信させない場合、前記位置検出部で検出した位置情報を前記他の携帯通信装置に前記近距離通信部で送信させる携帯通信装置。
【請求項６】
前記特定の携帯通信装置に位置情報を送信する指示は、前記特定の携帯通信装置から送信され前記通信部で受信した電子メールに含まれる第１携帯通信装置に位置情報を送信する指示である請求項１から５のいずれか一項に記載の携帯通信装置。
【請求項７】
前記第１携帯通信装置に位置情報を送信する指示を含む前記電子メールは、緊急情報を含む電子メールであり、
前記制御部は、前記特定の携帯通信装置に位置情報を送信する指示を検出し、
当該指示が前記緊急情報に基づいている場合、前記他の携帯通信装置との通信を前記近距離通信部で確立させ、
当該指示が前記緊急情報に基づいていない場合、前記他の携帯通信装置との通信を前記近距離通信部で確立させずに、位置情報を前記通信部で送信する請求項６に記載の携帯通信装置。
【請求項８】
基地局を介して通信を行う通信部と、
近距離通信を行う近距離通信部と、
位置情報を検出する位置検出部と、
特定の携帯通信装置に位置情報を送信する指示を検出した場合、前記特定の携帯通信装置に位置情報を送信する他の携帯通信装置との通信を前記近距離通信部に確立させるとともに、前記近距離通信部で前記他の携帯通信装置との通信が確立された場合、前記他の携帯通信装置から送信された位置情報および前記位置検出部で取得した位置情報の少なくとも一方を前記通信部から送信させる制御部と、を有し、
前記制御部は、前記特定の携帯通信装置に位置情報を送信する指示を検出し、当該指示が前記特定の携帯通信装置の操作部に入力された操作に基づいている場合、位置情報を前記通信部で送信させる携帯通信装置。
【請求項９】
前記制御部は、前記特定の携帯通信装置に位置情報を送信する指示を検出し、当該指示が前記操作部に入力された操作に基づいている場合、前記他の携帯通信装置との通信を前記近距離通信部で確立せずに、位置情報を前記通信部で送信させる請求項８に記載の携帯通信装置。
【請求項１０】
前記位置検出部は、自機の位置を検出する請求項１から９のいずれか一項に記載の携帯通信装置。
【請求項１１】
基地局を介して通信を行う第１通信部と、第１制御部と、を有する第１携帯通信装置と、
基地局を介して通信を行う第２通信部と、近距離通信を行う第１近距離通信部と、位置情報を検出する第１位置検出部と、第２制御部と、を有する第２携帯通信装置と、
基地局を介して通信を行う第３通信部と、近距離通信を行う第２近距離通信部と、位置情報を検出する第２位置検出部と、第３制御部と、を有する第３携帯通信装置と、を備え、
前記第２制御部は、前記第１携帯通信装置に位置情報を送信する指示を検出した場合、前記第２携帯通信装置に位置情報を送信する第３携帯通信装置との通信を前記第１近距離通信部で確立させ、前記第１近距離通信部で前記第３携帯通信装置との通信が確立された場合、前記第３携帯通信装置で検出された位置情報および前記第１位置検出部で取得した位置情報のいずれか一方を前記第２通信部から送信させ、
前記第３制御部は、特定の携帯通信装置に位置情報を送信する指示を検出した場合、前記特定の携帯通信装置に位置情報を送信する他の携帯通信装置との通信を前記第２近距離通信部で確立させ、前記第２近距離通信部で前記他の携帯通信装置との通信が確立された場合、前記第２位置検出部で取得した位置情報を前記特定の携帯通信装置に前記通信部を介して送信させない通信システム。
【請求項１２】
基地局を介して通信を行う通信部と、近距離通信を行う近距離通信部と、自機の位置情報を検出する位置検出部と、を有する携帯通信装置を制御する制御方法であって、
特定の携帯通信装置に位置情報を送信する指示を検出した場合、前記特定の携帯通信装置に位置情報を送信する他の携帯通信装置との通信を前記近距離通信部で確立する処理を実行するステップと、
前記近距離通信部で前記他の携帯通信装置との通信が確立された場合、前記他の携帯通信装置と自機のいずれか一方で、前記他の携帯通信装置の位置情報および前記位置検出部で取得した位置情報の少なくとも一方を前記特定の携帯通信装置に送信するステップと、
前記近距離通信部を用いた通信で前記他の携帯通信装置から送信された位置情報を取得するステップと、
を有する制御方法。
【請求項１３】
基地局を介して通信を行う通信部と、近距離通信を行う近距離通信部と、自機の位置情報を検出する位置検出部と、を有する携帯通信装置に、
特定の携帯通信装置に位置情報を送信する指示を検出した場合、前記特定の携帯通信装置に位置情報を送信する他の携帯通信装置との通信を前記近距離通信部で確立する処理を実行するステップと、
前記近距離通信部で前記他の携帯通信装置との通信が確立された場合、前記他の携帯通信装置と自機のいずれか一方で、前記他の携帯通信装置の位置情報および前記位置検出部で取得した位置情報の少なくとも一方を前記特定の携帯通信装置に送信するステップと、
前記近距離通信部を用いた通信で前記他の携帯通信装置から送信された位置情報を取得するステップと、
を実行させる制御プログラム。
【発明の詳細な説明】
【技術分野】
【０００１】
本出願は、携帯通信装置、通信システム、制御方法及び制御プログラムに関する。
【背景技術】
【０００２】
近年、携帯電話機等の携帯通信装置には、小児、児童等の子供向けの携帯電話機がある。このような子供向けの携帯電話機は、誘拐等の犯罪に巻き込まれることを防ぐ目的で各種のセキュリティー機能（防犯機能）が実装されている。例えば、特許文献１には、セキュリティー機能を実装し、ユーザがストラップを引っ張った場合にセキュリティー機能を実行するように構成した携帯電話機が開示されている。セキュリティー機能としては、例えば、ブザー等の警報音を出力する機能、発光させる機能、所定登録先へメールを送信する機能、所定登録先への通話発信する機能等がある。また、セキュリティー機能としては、所定登録先へ送信するメールに自機の位置情報を添付する機能もある。子供向けの携帯電話機は、所定登録先として、任意の通信装置を登録することができ、当該子供向けの携帯電話機を持っている対象者の保護者である両親、祖父母の携帯電話機、通信装置等がある。また、子供向けの携帯電話機は、所定登録先を警備会社や警察等とすることもできる。
【先行技術文献】
【特許文献】
【０００３】
【特許文献１】特開２０１１−１５１７５１号公報
【発明の概要】
【発明が解決しようとする課題】
【０００４】
ここで、所定登録先の通信装置は、子供向け携帯電話機でセキュリティー機能が実行さされ、位置情報を含むメールが送信された場合、表示部や音声出力部を用いて、取得した位置情報をユーザである保護者に報知する。ここで、携帯電話機（つまり携帯通信装置）が子供向け携帯電話機（つまり特定の携帯通信装置）の位置情報を取得する処理には改善の余地がある。
【０００５】
上記のことから、携帯通信装置が特定の携帯通信装置の位置をより適切に取得できる携帯通信装置、通信システム、制御方法及び制御プログラムに対する必要性がある。
【課題を解決するための手段】
【０００６】
１つの態様に係る携帯通信装置は、基地局を介して通信を行う通信部と、近距離通信を行う近距離通信部と、位置情報を検出する位置検出部と、前記特定の携帯通信装置に位置情報を送信する指示を検出した場合、前記特定の携帯通信装置に位置情報を送信する他の携帯通信装置との通信を前記近距離通信部に確立させるとともに、前記近距離通信部で前記他の携帯通信装置との通信が確立された場合、前記他の携帯通信装置から送信された位置情報および前記位置検出部で取得した位置情報の少なくとも一方を前記通信部から送信させる制御部と、を有する。
【０００７】
１つの態様に係る携帯通信装置は、基地局を介して通信を行う通信部と、近距離通信を行う近距離通信部と、位置情報を検出する位置検出部と、前記特定の携帯通信装置に位置情報を送信する指示を検出した場合、前記特定の携帯通信装置に位置情報を送信する他の携帯通信装置との通信を前記近距離通信部に確立させるとともに、前記近距離通信部で前記他の携帯通信装置との通信が確立された場合、前記位置検出部で検出した位置情報を前記特定の携帯通信装置に前記通信部を介して送信させない制御部と、を有する。
【０００８】
１つの態様に係る携帯通信装置は、基地局を介して通信を行う通信部と、近距離通信を行う近距離通信部と、自機の位置情報を検出する位置検出部と、前記特定の携帯通信装置に位置情報を送信する指示を検出した場合、前記特定の携帯通信装置に位置情報を送信する他の携帯通信装置との通信を前記近距離通信部に確立させるとともに、前記近距離通信部で前記他の携帯通信装置との通信が確立された場合、前記他の携帯通信装置と自機のいずれか一方で、前記他の携帯通信装置から送信された位置情報および前記位置検出部で取得した位置情報の少なくとも一方を前記特定の携帯通信装置に送信する制御部と、を有する。
【０００９】
１つの態様に係る通信システムは、基地局を介して通信を行う第１通信部と、第１制御部と、を有する第１携帯通信装置と、基地局を介して通信を行う第２通信部と、近距離通信を行う第１近距離通信部と、位置情報を検出する第１位置検出部と、第２制御部と、を有する第２携帯通信装置と、基地局を介して通信を行う第３通信部と、近距離通信を行う第２近距離通信部と、位置情報を検出する第２位置検出部と、第３制御部と、を有する第３携帯通信装置と、を備え、前記第２制御部は、前記第１携帯通信装置に位置情報を送信する指示を検出した場合、前記第２携帯通信装置に位置情報を送信する第３携帯通信装置との通信を前記第１近距離通信部で確立させ、前記第１近距離通信部で前記第３携帯通信装置との通信が確立された場合、前記第３携帯通信装置で検出された位置情報および前記第１位置検出部で取得した位置情報のいずれか一方を前記第２通信部から送信させ、前記第３制御部は、前記特定の携帯通信装置に位置情報を送信する指示を検出した場合、前記特定の携帯通信装置に位置情報を送信する他の携帯通信装置との通信を前記第２近距離通信部で確立させ、前記第２近距離通信部で前記他の携帯通信装置との通信が確立された場合、前記第２位置検出部で取得した位置情報を前記特定の携帯通信装置に前記通信部を介して送信させない。
【００１０】
１つの態様に係る制御方法は、基地局を介して通信を行う通信部と、近距離通信を行う近距離通信部と、自機の位置情報を検出する位置検出部と、を有する携帯通信装置を制御する制御方法であって、前記特定の携帯通信装置に位置情報を送信する指示を検出した場合、前記特定の携帯通信装置に位置情報を送信する他の携帯通信装置との通信を前記近距離通信部で確立する処理を実行するステップと、前記近距離通信部で前記他の携帯通信装置との通信が確立された場合、前記他の携帯通信装置と自機のいずれか一方で、前記他の携帯通信装置の位置情報および前記位置検出部で取得した位置情報の少なくとも一方を前記特定の携帯通信装置に送信するステップと、を有する。
【００１１】
１つの態様に係る制御プログラムは、基地局を介して通信を行う通信部と、近距離通信を行う近距離通信部と、自機の位置情報を検出する位置検出部と、を有する携帯通信装置に、前記特定の携帯通信装置に位置情報を送信する指示を検出した場合、前記特定の携帯通信装置に位置情報を送信する他の携帯通信装置との通信を前記近距離通信部で確立する処理を実行するステップと、前記近距離通信部で前記他の携帯通信装置との通信が確立された場合、前記他の携帯通信装置と自機のいずれか一方で、前記他の携帯通信装置の位置情報および前記位置検出部で取得した位置情報の少なくとも一方を前記特定の携帯通信装置に送信するステップと、を実行させる。
【図面の簡単な説明】
【００１２】
【図１】図１は、本実施形態の携帯通信装置を有する通信システムの概略構成を示す説明図である。
【図２】図２は、実施形態に係る第１携帯電話機の外観上の概略構成を示す正面図である。
【図３】図３は、図２に示す第１携帯電話機の外観上の概略構成を示す側面図である。
【図４】図４は、図２、図３に示す第１携帯電話機の機能構成を示すブロック図である。
【図５】図５は、実施形態に係る第２携帯電話機の外観上の概略構成を示す正面図である。
【図６】図６は、図５に示す第２携帯電話機の機能構成を示すブロック図である。
【図７】図７は、第１携帯電話機と第２携帯電話機との間で実行される処理の一例を示す図である。
【図８】図８は、第１携帯電話機の表示部に表示される画面の一例を示す図である。
【図９】図９は、第１携帯電話機と第２携帯電話機との間で実行される処理の一例を示す図である。
【図１０】図１０は、第２携帯電話機で実行される処理の一例を示すフローチャートである。
【図１１】図１１は、第１携帯電話機で実行される処理の一例を示すフローチャートである。
【図１２】図１２は、第２携帯電話機で実行される処理の一例を示すフローチャートである。
【図１３】図１３は、第１携帯電話機で実行される処理の一例を示すフローチャートである。
【図１４】図１４は、第１携帯電話機の表示部に表示される画面の一例を示す図である。
【図１５】図１５は、第１携帯電話機の表示部に表示される画面の一例を示す図である。
【図１６】図１６は、第１携帯電話機の表示部に表示される画面の一例を示す図である。
【発明を実施するための形態】
【００１３】
本出願に係る携帯通信装置、通信システム、制御方法、及び制御プログラムを実施するための実施形態を、図面を参照しつつ詳細に説明する。以下の説明により、本出願に係る携帯通信装置、通信システム、制御方法、及び制御プログラムが限定されるものではない。以下の説明における構成要素には、当業者が容易に想定できるもの、実質的に同一のもの、いわゆる均等の範囲のものが含まれる。以下においては、携帯通信装置の一例として携帯電話機を取り上げるが、本発明の適用対象は携帯電話機に限定されるものではなく、通信が可能な他の装置に対しても適用できる。携帯通信装置として、例えば、タッチスクリーンを有する多機能携帯電話（スマートフォン）、ＰＨＳ（Ｐｅｒｓｏｎａｌ  Ｈａｎｄｙ−Ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン、ゲーム機等を用いても本発明は適用できる。
【００１４】
図１は、本実施形態の携帯通信装置を有する通信システムの概略構成を示す説明図である。図１に示す通信システム１は、ＧＰＳ衛星２と、通信網３と、複数の基地局４と、サーバ６と、複数の第１携帯電話機１０、１０ａ、１０ｂと複数の第２携帯電話機５０、５０ａ、５０ｂで構成されている。
【００１５】
ＧＰＳ衛星２は、ＧＰＳ（Global  Positioning  System、全地球測位システム）の通信機能を備える通信装置（通信端末、通信機器）に、該通信装置の位置情報を送信（提供）する衛星である。なお、図１でＧＰＳ衛星２を３つのみ示したが、ＧＰＳ衛星２は、通信装置の位置を特定するために必要な数が配置されている。複数のＧＰＳ装置２は、通信装置の位置情報の特定に必要な情報（ＧＰＳ衛星２の位置情報や時間情報）を出力する。通信装置は、ＧＰＳ衛星２から出力される情報を取得し、解析することで、自身の位置情報を取得する。例えば、通信装置は、３つまたは４つのＧＰＳ衛星２から出力されるＧＰＳ信号の差分に基づいて、自身の位置を特定する。
【００１６】
通信網（コアネットワーク）３は、交換機や、有線の通信回線で構成されている。通信網３は、有線、無線の通信回線を用いて、複数の基地局４を介して、第１携帯電話機１０、１０ａ、１０ｂまたは第２携帯電話機５０、５０ａ、５０ｂと、他の通信装置（他の携帯通信装置、固定型の通信装置、サーバ６）との間での情報通信を行う。通信網３は、通信装置間で通信を行うことができれば、種々の制御方法を用いることができる。例えば、衛星回線を利用して通信を行ってもよい。第１携帯電話機１０、１０ａ、１０ｂまたは第２携帯電話機５０、５０ａ、５０ｂと、は、自機以外の第１携帯電話機１０、１０ａ、１０ｂまたは第２携帯電話機５０、５０ａ、５０ｂを他の通信装置とすることもできる。
【００１７】
基地局４は、無線により第１携帯電話機１０、１０ａ、１０ｂまたは第２携帯電話機５０、５０ａ、５０ｂと通信信号の送受信を行う通信機器である。通信信号とは、通話や、メールの送受信や、インターネット通信を行うために、送受信するデータの信号である。また、基地局４は、通信網３と接続しており、通信網３と接続している通信端末と通信（通信信号を送受信）することができる。このように、基地局４は、通信網３と接続しており、第１携帯電話機１０、１０ａ、１０ｂまたは第２携帯電話機５０、５０ａ、５０ｂと無線で通信を行うことで、通信網３を利用した第１携帯電話機１０、１０ａ、１０ｂまたは第２携帯電話機５０、５０ａ、５０ｂの通信を中継する。なお、基地局４は、中継局を介して第１携帯電話機１０、１０ａ、１０ｂまたは第２携帯電話機５０、５０ａ、５０ｂと通信を行うようにしてもよい。
【００１８】
サーバ６は、呼び出し音や着信音の情報、呼び出し音及び着信音の制御条件、これらの制御プログラム、各通信装置を特定する情報（電話番号、アドレス）等種々のデータを有する。サーバ６は、通信網３及び基地局４を介して第１携帯電話機１０、１０ａ、１０ｂまたは第２携帯電話機５０、５０ａ、５０ｂと通信し、種々の情報を供給する。また、サーバ６は、通信装置から情報を受信しその情報に基づいて他の通信装置に情報を通信する、情報の中継も行う。
【００１９】
第１携帯電話機１０、１０ａ、１０ｂは、基地局４を介して通信網３との間で無線通信を行う通信端末である。第１携帯電話機１０は、音声信号等の信号を通信網３に送信し、通信網３から音声信号等の信号を受信する。また、それぞれの携帯通信装置には、固有の電話番号、端末番号が割り当てられ、記憶されている。第１携帯電話機１０、１０ａ、１０ｂの構成については、後ほど説明する。
【００２０】
第２携帯電話機５０、５０ａ、５０ｂは、基地局４を介して通信網３との間で無線通信を行う通信端末である。第２携帯電話機５０は、音声信号等の信号を通信網３に送信し、通信網３から音声信号等の信号を受信する。それぞれの携帯通信装置には、固有の電話番号、端末番号が割り当てられ、記憶されている。なお、第２携帯電話機５０、５０ａ、５０ｂは、通信網３を用いて実行する通信が、第１携帯電話機１０、１０ａ、１０ｂよりも制限されている。第２携帯電話機５０、５０ａ、５０ｂの構成については、後ほど説明する。なお、以下では、第１携帯電話機１０、１０ａ、１０ｂを特に区別しない場合、第１携帯電話機１０として説明し、第２携帯電話機５０、５０ａ、５０ｂを特に区別しない場合、第２携帯電話機５０として説明する。
【００２１】
通信システム１は、以上のような構成である。通信システム１は、ユーザの操作により第１携帯電話機１０に発信操作が入力されると、第１携帯電話機１０から通信網３に対して、発信信号と通信先の電話番号の情報が送られる。通信網３は、入力された通信先の電話番号が割り当てられている第１携帯電話機１０を検索し、通信先の第１携帯電話機１０に着信を通知する。その後、通信先の第１携帯電話機１０で通話開始の操作が入力されたら、通信網３を介して通信を行う。つまり、通信システム１は、通信網３を介して情報の送受信を行うことで、第１携帯電話機１０間で通信を行う。
【００２２】
通信システム１は、第１携帯電話機１０間の通信と同様に第１携帯電話機１０と第２携帯電話機５０との間での通信を行うことができる。通信システム１は、第１携帯電話機１０と同様に、ユーザの操作により第２携帯電話機５０に発信操作が入力されると、基地局４及び通信網３で情報の送受信を行い、通信先の通信装置との間で通信を行う。なお、通信システム１では、通信端末間での通信は、音声通信に限定されず、データの送受信も行う。第１携帯電話機１０及び第２携帯電話機５０は、ＧＰＳ衛星２から出力されたＧＰＳ信号を処理することで位置情報を取得することもできる。
【００２３】
本実施形態の通信システム１は、第１携帯電話機１０と複数の第２携帯電話機５０とが対応付けられている。通信システム１は、対応付けられた第１携帯電話機１０と複数の第２携帯電話機５０との間で、他の通信装置とは異なる処理が可能となる。例えば、通信システム１は、対応付けられた第１携帯電話機１０と第２携帯電話機５０ａ、５０ｂとの間、または、対応付けられた第２携帯電話機５０ａと第２携帯電話機５０ｂとの間で、他の通信装置とは異なる処理が可能となる。特定の第１携帯電話機１０は、複数の特定の第２携帯電話機５０の動作を制御することができる。例えば、特定の第１携帯電話機１０は、複数の特定の第２携帯電話機５０の着信可能な電話番号の設定、発信可能な電話番号の設定及び音声の出力方式の設定を行うことができる。特定の第１携帯電話機１０は、複数の特定の第２携帯電話機５０の動作も制御することができる。複数の特定の第２携帯電話機５０は、特定の第１携帯電話機１０からの指示に対応する処理を実行する。特定の第１携帯電話機１０と複数の特定の第２携帯電話機５０とは、対応付けられた通信装置を特定する情報を記憶している。特定の第１携帯電話機１０と複数の特定の第２携帯電話機５０とは、例えば、対応付けられた通信装置の電話番号、端末番号、メールアドレス等の情報を記憶している。通信システム１は、基本的に特定の第１携帯電話機１０を保護者が所持し、特定の第２携帯電話機５０を対象者、つまり保護者によって保護される者が所持する。保護者によって保護される者は、主に幼児、小学生等の小児、児童であるが、高齢者、ペット等としてもよい。通信システム１は、１台の第２携帯電話機５０に複数台の特定の第１携帯電話機１０と対応付けられていてもよく、複数台の第２携帯電話機５０に複数台の特定の第１携帯電話機１０と対応付けられていてもよい。
【００２４】
通信システム１では、サーバ６、第１携帯電話機１０及び第２携帯電話機５０の数は、図１に示す数に限定されない。通信システム１は、多数の、サーバ６と、第１携帯電話機１０と第２携帯電話機５０と、を備えることができる。図１では、通信システム１の通信網３で通信を行う機器、つまり通信網３で通信可能な機器として、第１携帯電話機１０、１０ａ、１０ｂ、第２携帯電話機５０、５０ａ、５０ｂ及びサーバ６のみを示したが、これには限定されない。通信システム１は、通信網３を介して、公衆通信網で通信可能な種々の通信装置間で通信を実行できる。例えば、ＰＣ（Personal  Computer）等の情報通信機能を備える固定型の情報端末や、有線の電話回線を介して通信網３と接続された電話装置（固定電話）との間でも通信を実行できる。
【００２５】
次に、図２から図４を用いて第１携帯電話機１０について説明する。図２は、実施形態に係る第１携帯電話機の外観上の概略構成を示す正面図である。図３は、図２に示す第１携帯電話機の外観上の概略構成を示す側面図である。図２及び図３に示すように、第１携帯電話機１０は、折り畳み式の筐体を有する。具体的には、第１携帯電話機１０の筐体１０Ｃは、図２に示すように、第１筐体１０ＣＡと第２筐体１０ＣＢとで開閉可能に構成される。第１携帯電話機１０の筐体は、このような構造に限定されるものではない。例えば、第１携帯電話機１０の筐体は、第１携帯電話機１０を構成する２つの筐体を重ね合わせた状態から一方の筐体と他方の筐体とを互いにスライドできるようにしたスライド式の筐体であってもよい。あるいは、第１携帯電話機１０の筐体は、第１携帯電話機１０を構成する２つの筐体の重ね合わせ方向に沿う軸線を中心として一方の筐体を回転させるようにしたもの、２軸ヒンジを介して両方の筐体を連結したものでもよい。あるいは、第１携帯電話機０１は、図２及び図３に示すように、複数の筐体を連結したものには限定されず、スマートフォンのように、筐体が単一の構造であってもよい。
【００２６】
図２に示すように、第１筐体１０ＣＡと第２筐体１０ＣＢとは、連結部であるヒンジ機構１８で連結されている。ヒンジ機構１８で第１筐体１０ＣＡと第２筐体１０ＣＢとを連結することにより、第１筐体１０ＣＡ及び第２筐体１０ＣＢは、ヒンジ機構８を中心としてともに回動して、図３の矢印Ｒで示す方向に回動できるように構成される。すなわち、第１筐体１０ＣＡ及び第２筐体１０ＣＢは、互いに遠ざかる方向、又は互いに接近する方向に回動できる。図３の点線に示すように、第１携帯電話機１０が折り畳まれた状態にある場合に、第１筐体１０ＣＡと第２筐体１０ＣＢとが互いに遠ざかる方向に回動すると、図３の実線に示すように、携帯電話機１が開いた状態になる。図３の実線に示すように、第１携帯電話機１０が開いた状態にある場合に、第１筐体１０ＣＡと第２筐体１０ＣＢとが互いに接近する方向に回動すると、図３の点線で示すように、携帯電話機１が折り畳まれた状態となる。
【００２７】
第１筐体１０ＣＡには、表示部として、図２に示すディスプレイ１２が設けられる。ディスプレイ１２は、第１携帯電話機１０が受信を待機している状態のときに待ち受け画像を表示したり、第１携帯電話機１０の操作を補助するために用いられるメニュー画像を表示したりする。また、第１筐体１０ＣＡには、第１携帯電話機１０の通話時に音声を出力する出力手段であるレシーバ２３が設けられる。
【００２８】
第２筐体１０ＣＢには、操作キー２４Ａと、方向及び決定キー２４Ｂとが設けられる。操作キー２４Ａは、通話相手の電話番号、又はメール作成時等の文字の入力に用いられる。方向及び決定キー２４Ｂには、ディスプレイ１２に表示されるメニューの選択及び決定、あるいは画面のスクロール等を容易に実行するために用いられる。操作キー２４Ａと方向及び決定キー２４Ｂとは、第１携帯電話機１０の操作部２４を構成する。また、第２筐体１０ＣＢには、第１携帯電話機１０の通話時に音声を受け取る音声取得手段であるマイク２１が設けられる。操作部２４は、図３に示す、第２筐体１０ＣＢの操作面１０ＰＣに設けられる。操作面１０ＰＣとは反対側の面が、第１携帯電話機１０の背面１０ＰＢである。なお、操作部２４は、上述のキー構成に代えて、表示部上に配置されたタッチセンサであってもよい。
【００２９】
図４は、図２、図３に示す第１携帯電話機１０の機能構成を示すブロック図である。図４に示すように、第１携帯電話機１０は、マイク２１と、スピーカ２２と、レシーバ２３と、操作部２４と、加速度センサ２５と、表示部２６と、カメラ２７と、通信部２８と、音声処理部３０と、ＧＰＳ通信部３２と、近距離通信部３３と、記憶部３４と、制御部４０とを有する。
【００３０】
マイク２１は、例えば、通話時の音声、音声検索の利用時にユーザが発する音声、ノイズキャンセル処理時に利用する音など、種々の音を取得する。スピーカ２２は、例えば、第１携帯電話機１０の筐体１０Ｃ内に配置されており、着信音やメールの送信音等を出力する。レシーバ２３は、例えば、通話時の音声などを出力する。
【００３１】
操作部２４は、上述したように、操作キー２４Ａと、方向及び決定キー２４Ｂとを有し、図３に示す第２筐体１０ＣＢの操作面１０ＰＣに設けられる。操作キー２４Ａには、例えば、電源キー、通話キー、数字キー、文字キー、方向キー、決定キー、発信キー等の機能が割り当てられ、方向及び決定キー２４Ｂには、例えば、方向キー、決定キーの機能が割り当てられる。そして、これらのキーがユーザの操作により入力されると、操作部２４は、その操作内容に対応する信号を発生させる。発生した信号は、ユーザの指示として制御部４０へ入力される。
【００３２】
加速度センサ２５は、第１携帯電話機１０に印加される加速度の方向及び大きさを検出する。加速度センサ２５の検出結果は、例えば、第１携帯電話機１０の方位が分かれば、第１携帯電話機１０の姿勢の変化、あるいは第１携帯電話機１０の移動の有無を判定する場合などに用いることもできる。
【００３３】
表示部２６は、上述したように、ディスプレイ１２を有し、制御部４０から供給される映像データに応じた映像や画像データに応じた画像を表示パネルに表示させる。ディスプレイ１２は、例えば、液晶ディスプレイ（ＬＣＤ、Ｌｉｑｕｉｄ  Ｃｒｙｓｔａｌ  Ｄｉｓｐｌａｙ）、又は有機ＥＬ（Ｏｒｇａｎｉｃ  Ｅｌｅｃｒｏ−Ｌｕｍｉｎｅｓｃｅｎｃｅ）パネルなどで構成された表示パネルで構成される。表示部２６は、ディスプレイ１２に加え、サブディスプレイを有していてもよい。カメラ２７は、撮影した画像を取得する。
【００３４】
通信部２８は、アンテナ２８ａを有し、基地局４によって割り当てられるチャネルを介し、基地局との間でＣＤＭＡ（Ｃｏｄｅ  Ｄｉｖｉｓｉｏｎ  Ｍｕｌｔｉｐｌｅ  Ａｃｃｅｓｓ）方式などによる無線信号回線を確立し、基地局を介して、例えば、後述する第２携帯電話機５０との間で電話通信及び情報通信を行う。
【００３５】
音声処理部３０は、マイク２１に入力される音声信号、スピーカ２２及びレシーバ２３から出力される音声信号の処理を実行する。すなわち、音声処理部３０は、マイク２１から入力される音声を増幅し、アナログデジタル変換を実行した後、さらに符号化等の信号処理を施し、デジタルの音声データに変換してから制御部４０へ出力する。また、制御部４０から送られる音声データの復号化、デジタルアナログ変換、増幅等の処理を施し、アナログの音声信号に変換してからスピーカ２２及びレシーバ２３へ出力する。
【００３６】
ＧＰＳ通信部３２は、ＧＰＳ衛星２から出力されるＧＰＳ信号を受信する通信部である。また、ＧＰＳ通信部３２は、出力されるＧＰＳ信号を受信し解析することで第１携帯電話機１０の緯度経度を算出し、算出した緯度経度の情報を制御部４０に送る。具体的には、ＧＰＳ通信部３２は、複数のＧＰＳ衛星２からＧＰＳ信号を取得し、ＧＰＳ信号に含まれる時間情報と取得した時間情報との時間差や、受信した伝播電波の強度等によりそれぞれのＧＰＳ衛星２からの距離を算出する。ＧＰＳ通信部３２は、ＧＰＳ衛星２からの距離と各ＧＰＳ衛星２の位置情報を解析することで、自身の位置を算出する。
【００３７】
近距離通信部３３は、近距離無線通信技術を用いて、近距離通信可能な他の通信機器と通信を行う通信部（情報通信部）である。なお、近距離無線通信技術としては、赤外線通信（ＩｒＤＡ（登録商標）、ＩｒＭＣ（登録商標）、ＩｒＳｉｍｐｌｅ（登録商標））や、可視光通信や、Bluetooth（登録商標）や、磁界通信（ＲＦＩＤ、Radio  Frequency  Identification）技術を用いることができる。
【００３８】
記憶部３４は、オペレーティングシステムプログラム及びアプリケーションプログラム等、制御部４０での処理に利用される各種プログラム及び各種データを記憶する。例えば、記憶部３４には、表示部２６の動作を制御するアプリケーションプログラムを作動させるタスク、通信部２８の動作を制御するアプリケーションプログラムを作動させるタスク及び音声処理部３０の動作を制御するアプリケーションプログラムを作動させるタスクなどが記憶されている。また、記憶部３４には、これらのタスク以外にも、例えば、通信、ダウンロードされた音声データ、あるいは記憶部３４に対する制御に制御部４０が用いるプログラム、通信相手の電話番号及びメールアドレス等が記述されたアドレス帳、発信音及び着信音等の音声ファイル、プログラムに基づく処理過程で用いられる一時的なデータ等が記憶される。
【００３９】
本実施形態において、記憶部３４は、少なくとも、他の携帯電話機との間で通話を含む通信を行うためのプログラム、特定の第２携帯電話機５０の動作を制御し、受信した電子メールを処理し、かつ、近距離通信部３３の動作を制御する制御プログラム３４ａ、ＧＰＳ通信部３２の動作を制御し、位置情報を取得するための位置取得プログラム３４ｂ等が記憶される。記憶部３４は、制御プログラム３４ａで処理する対象の第２携帯電話機５０を特定するための条件及び第２携帯電話機５０から受信した電子メールを処理する条件を記憶する条件データ３４ｃが記憶される。
【００４０】
制御部４０は、記憶部３４に記憶されている各種プログラムに基づいて処理を実行する。制御部４０は、例えば、マイクロプロセッサユニット（ＭＰＵ：Ｍｉｃｒｏ  Ｐｒｏｃｅｓｓｉｎｇ  Ｕｎｉｔ）で構成され、記憶部３４に記憶されるプログラムから命令コードを順次読み込んで、読み込んだ命令コードで指示された手順に従って第１携帯電話機１０の各種の処理を実行する。すなわち、制御部４０は、第１携帯電話機１０の各種の処理が、操作部２４の操作、及び第１携帯電話機１０の記憶部３４に記憶されるプログラムに応じて適切な手順で実行されるように、表示部２６、通信部２８及び音声処理部３０等の動作を制御する。
【００４１】
制御部４０は、例えば、制御プログラム３４ａを実行することにより、所定の電子メールを受信した場合、所定の条件を満たした場合、特定の第２携帯電話機５０に当該特定の第２携帯電話機５０の位置情報を返信する指示を含む電子メールを送信する制御を実行することができる。制御部４０は、例えば、制御プログラム３４ａを実行することにより、特定の第２携帯電話機５０から送信された電子メールを処理する制御を実行することができる。具体的には、制御部４０は、特定の第２携帯電話機５０から送信された電子メールから必要な情報を抽出して、特定の第２携帯電話機５０の位置を示す地図を表示部２６に表示させる制御を実行することができる。制御部４０は、特定の第２携帯電話機５０から送信された電子メールから必要な情報を抽出して、特定の第２携帯電話機５０と他の第２形態電話機５０の位置を示す地図を表示部２６に表示させる制御を実行することもできる。制御部４０は、例えば、位置取得プログラム３４ｂを実行することにより、ＧＰＳ通信部３２の動作を制御し、自機の位置情報を取得する制御を実行することができる。
【００４２】
次に、第２携帯電話機５０について説明する。図５は、実施形態に係る第２携帯電話機５０の外観上の概略構成を示す正面図である。図５に示すように、第２携帯電話機５０は、筐体の上面にストラップ５１が設けられている。第２携帯電話機５０は、筐体の正面に各種画像を表示するディスプレイ５２と、操作入力に用いられる操作部５３と、音声を出力するレシーバ５６が設けられている。
【００４３】
図６は、図５に示す第２携帯電話機５０の機能構成を示すブロック図である。図６に示すように、第２携帯電話機５０は、操作部５３と、マイク５４と、スピーカ５５と、レシーバ５６と、表示部５７と、通信部５８と、音声処理部６０と、スイッチ部材６１と、スイッチ位置検出部６２と、ＧＰＳ通信部６４と、近距離通信部６６と、記憶部６８と、制御部７０と、を有する。
【００４４】
操作部５３は、例えば、数字キー、方向キー、決定キー、発信キー等の機能が割り当てられた複数のキーを有する。そして、これらのキーがユーザの操作により入力されると、操作部５３は、その操作内容に対応する信号を発生させる。発生した信号は、ユーザの指示として制御部７０へ入力される。
【００４５】
マイク５４は、例えば、音声検索の利用時にユーザが発する音声、ノイズキャンセル処理時に利用する音など、種々の音を取得する。スピーカ５５は、例えば、第１携帯電話機１０の筐体１０Ｃ内に配置されており、着信音やメールの送信音等を出力する。レシーバ５６は、例えば、通話時の音声などを出力する。
【００４６】
表示部５７は、ディスプレイ５２を有し、制御部７０から供給される映像データに応じた映像や画像データに応じた画像を表示パネルに表示させる。
【００４７】
通信部５８は、基地局によって割り当てられるチャネルを介し、基地局との間でＣＤＭＡ（Ｃｏｄｅ  Ｄｉｖｉｓｉｏｎ  Ｍｕｌｔｉｐｌｅ  Ａｃｃｅｓｓ）方式などによる無線信号回線を確立し、基地局を介して、例えば、上述した第１携帯電話機１０との間で電話通信及び情報通信を行う。
【００４８】
音声処理部６０は、マイク５４に入力される音声信号、スピーカ５５及びレシーバ５６から出力される音声信号の処理を実行する。
【００４９】
スイッチ部材６１は、筐体の上側に配置されており、ストラップ５１と接続されている。スイッチ部材６１は、ストラップ５１が筐体に対して引っ張られることで筐体に対して移動可能な構造である。ユーザは、ストラップ５１を手掛かりとして、スイッチ部材６１を操作する。スイッチ部材６１は、ストラップ５１に引っ張られることで、筐体の上面に対して突出するように移動する。スイッチ部材６１は、初期位置とストラップ５１に引っ張られて初期位置から移動した突出位置へと切替移動が可能な構成となっている。
【００５０】
スイッチ位置検出部６２は、対象者の操作状態、具体的には、スイッチ部材６１の位置を検出している。スイッチ位置検出部６２は、スイッチ部材６１が初期位置にある場合、操作状態が第１操作状態であるとして、第１操作信号を制御部７０へ向けて出力する。また、スイッチ位置検出部６２は、スイッチ部材６１が突出位置にある場合、操作状態が第２操作状態であるとして、第２操作信号を制御部７０へ向けて出力する。制御部７０は、スイッチ位置検出部６２から第１操作信号が出力されているか、第２操作信号が出力されているかでスイッチ部材６１の位置を特定する。なお、スイッチ位置検出部６２は、スイッチ位置が初期位置にある場合、操作信号を出力せず、スイッチ部材６１が突出位置にある場合のみ操作信号を出力するようにしてもよい。
【００５１】
ＧＰＳ通信部６４は、ＧＰＳ衛星２から出力されるＧＰＳ信号を受信する通信部である。また、ＧＰＳ通信部６４は、出力されるＧＰＳ信号を受信し解析することで第２携帯電話機５０の緯度経度を算出し、算出した緯度経度の情報を制御部７０に送る。具体的には、ＧＰＳ通信部６４は、複数のＧＰＳ衛星２からＧＰＳ信号を取得し、ＧＰＳ信号に含まれる時間情報と取得した時間情報との時間差や、受信した伝播電波の強度等によりそれぞれのＧＰＳ衛星２からの距離を算出する。ＧＰＳ通信部６４は、ＧＰＳ衛星２からの距離と各ＧＰＳ衛星２の位置情報を解析することで、自身の位置を算出する。
【００５２】
近距離通信部６６は、近距離無線通信技術を用いて、近距離通信可能な他の通信機器と通信を行う通信部（情報通信部）である。なお、近距離無線通信技術としては、赤外線通信（ＩｒＤＡ（登録商標）、ＩｒＭＣ（登録商標）、ＩｒＳｉｍｐｌｅ（登録商標））や、可視光通信や、Bluetooth（登録商標）や、磁界通信（ＲＦＩＤ、Radio  Frequency  Identification）技術を用いることができる。
【００５３】
記憶部６８は、制御部７０での処理に利用される各種プログラム及び各種データを記憶する。本実施形態において、記憶部６８には、少なくとも、第１携帯電話機１０から送信された電子メールに基づいて実行する処理を決定し動作を制御するプログラム、ユーザの操作に基づいて通信を制御するプログラム及びＧＰＳ通信部６４を用いて位置の検出を実行するプログラムが記憶される。
【００５４】
制御部７０は、記憶部６８に記憶されている各種プログラムに基づいて処理を実行する。制御部７０は、例えば、マイクロプロセッサユニットで構成され、記憶部６８に記憶されるプログラムから命令コードを順次読み込んで、読み込んだ命令コードで指示された手順に従って第２携帯電話機５０の各種の処理を実行する。
【００５５】
具体的には、制御部７０は、ユーザがストラップ５１を引っ張り、スイッチ部材６１が突出位置に移動したことをスイッチ位置検出部６２で検出した場合、スピーカ５５から防犯用のブザー音を出力させ、防犯機能が作動したことを示す電子メールを第１携帯電話機１０に送信する。制御部７０は、通信部５８を介して、第１携帯電話機１０から位置情報の通知の返信要求を受信すると、位置測位を実行し、測位した位置情報を通信部５８により第１携帯電話機１０に返信する。制御部７０は、所定の条件を満足する場合、近距離通信部６６で他の第２携帯電話機５０とのペアリング処理を実行する。ここで、ペアリング処理は、対象とする通信装置と近距離無線通信で通信ができるように、対象の通信装置を検索し、発見した場合、必要な情報を交換する処理である。つまり、ペアリング処理とは、近距離通信部を用いた近距離無線通信を確立させるための処理である。例えば、制御部７０は、近距離通信部６６で周囲の通信機器に検索要求を出力（送信）する。つまり、制御部７０は、近距離通信部６６により近距離無線通信の通信信号が到達する範囲内に検索要求を出力する。検索要求は、第２携帯電話機５０が近距離無線通信により通信可能な範囲内にいる通信機器を検索する信号である。検索要求を取得した通信装置は、検索要求を出力した第２携帯電話機５０に対して自機の固有番号（ＭＡＣアドレス）を送信する。近距離通信部６６は、送信された固有番号を受信する。制御部７０は、受信した固有番号のなかに対象の通信装置の固有番号を含む応答があった場合、当該固有番号を出力した通信装置と近距離通信を用いた通信を確立することでペアリングを行う。制御部７０は、ペアリング処理が成功し、通信が確立できた場合、近距離通信部６６を用いて、近距離無線通信で当該通信機器と情報の送受信が可能となる。
【００５６】
以上のように第２携帯電話機５０は、防犯機能が作動した場合、第１携帯電話機１０から返信の要求があった場合、または、予め設定された条件を満たす場合、位置情報を検出し、検出した位置情報を特定の第１携帯電話機１０に送る。第２携帯電話機５０は、第１携帯電話機１０により設定された条件を満たす場合、位置情報を検出し、検出した位置情報を特定の第１携帯電話機１０に送るようにしてもよい。設定された条件としては、例えば、周期または時間帯等の時間の条件や、設定された範囲の外に出る等の位置の条件がある。
【００５７】
第２携帯電話機５０は、予め設定された特定の条件に起因して、位置情報を検出し、検出した位置情報を特定の第１携帯電話機１０に送る処理、つまり位置情報送信処理を実行すると判定した場合、当該処理を実行する前に、近距離通信部６６で他の第２携帯電話機５０とのペアリング処理を実行する。第２携帯電話機５０は、近距離通信部６６で第２携帯電話機５０との通信を確立できた場合、自機と他の第２携帯電話機５０とで検出したそれぞれの位置情報を自機か他の第２携帯電話機５０のいずれか一方から特定の第１携帯電話機１０に送る処理を実行する。
【００５８】
以下、図７から図１２を用いて、通信システム１の動作、特に対応付けられた特定の第１携帯電話機１０と特定の第２携帯電話機５０とで実行される処理動作について説明する。図７及び図８を用いて、第１携帯電話機１０と第２携帯電話機５０との間で実行される処理の一例を説明する。図７は、第１携帯電話機と第２携帯電話機との間で実行される処理の一例を示す図である。図７は、通信システム１のうち、１つの第１携帯電話機１０と２つの第２携帯電話機５０ａ、５０ｂの通信ユニット１００のみを示している。第１携帯電話機１０と２台の第２携帯電話機５０ａ、５０ｂとは、予め対応付けられており特定の処理を実行可能な設定となっている。通信ユニット１００は、第１携帯電話機１０が親端末となり、第２携帯電話機５０ａ、５０ｂが子端末となる。図８は、第１携帯電話機の表示部に表示される画面の一例を示す図である。
【００５９】
以下、本実施形態は、所定の通知として緊急地震速報を受信した場合として説明する。所定の通知としては、種々の通知を用いることができる。所定の通知としては、緊急情報を含む電子メールを用いることが好ましい。緊急情報を含む電子メールとしては、気象庁が配信する緊急地震速報及び津波警報、地方公共団体が発信する災害情報及び避難情報などの報知型の所定の電子メール（メッセージ）がある。第１携帯電話機１０は、受信した電子メールのヘッダに含まれる情報、本文の情報及びメールの種類の少なくとも１つを解析することで、緊急情報を含む電子メールか否かを判定することができる。例えば、受信した電子メールがＢＣＳＭＳなどを利用した一斉配信型のブロードキャストメッセージである場合がある。第１携帯電話機１０は、ブロードキャストメッセージであり、受信した電子メールの拡張システムパラメータのブロードキャスト用の領域がページングチャネルに設定されている場合、その領域内に記述された信号を確認することにより、緊急地震速報などの報知型の所定のメッセージであるかを判定する。例えば、受信した電子メールが通信事業者により一斉配信されるエリアメールである場合がある。この場合、第１携帯電話機１０は、エリアメールのヘッダ内に設けられたシステム領域のパラメータを確認することにより、緊急地震速報などの報知型の所定のメッセージであるかを判定する。
【００６０】
図７に示すように、通信ユニット１００は、ステップＳ１として、第１携帯電話機１０が緊急地震速報を受信する。通信ユニット１００は、ステップＳ１で第１携帯電話機１０が緊急地震速報を受信したら、ステップＳ２として、第１携帯電話機１０から第２携帯電話機５０ａ、５０ｂに現在位置要求コマンドを出力し、第１携帯電話機１０から出力された現在位置要求コマンドを第２携帯電話機５０ａ、５０ｂが受信する。つまり、第１携帯電話機１０は、ステップＳ２として対応付けられた複数の第２携帯電話機５０ａ、５０ｂの位置情報要求を出力し、当該位置情報要求を第２携帯電話機５０が受信する。第１携帯電話機１０は、電子メールに位置情報要求を示すコマンドを含めることで、当該コマンドを第２携帯電話機５０ａ、５０ｂに送信することができる。第１携帯電話機１０は、位置情報要求を示すコマンドとともに当該位置情報要求が緊急地震速報に起因していることを示す情報も電子メールに含める。つまり、第１携帯電話機１０は、緊急地震速報を受信したことで、位置情報要求を示すコマンドを送信したことが検出できる電子メールを第２携帯電話機５０ａ、５０ｂに送る。コマンドと実行する処理との関係は、第１携帯電話機１０及び第２携帯電話機５０ａ、５０ｂの両方に予め記憶されている。
【００６１】
第２携帯電話機５０ａ、５０ｂは、ステップＳ２で受信した位置情報要求を含む電子メールの解析を行い、当該位置情報要求のコマンドが緊急地震速報に起因すると判定した場合、ステップＳ３として、ペアリング処理、つまり近距離通信部６６を用いた通信の確立の処理を開始する。通信ユニット１００は、ステップＳ３で第２携帯電話機５０ａと第２携帯電話機５０ｂの両方でペアリング処理を実行し、第２携帯電話機５０ａと第２携帯電話機５０ｂとの間で近距離通信による通信を確立したら、ステップＳ４として、第２携帯電話機５０ｂから第２携帯電話機５０ａに近距離通信で端末情報を出力する。ここで、端末情報とは、第２携帯電話機５０ｂを特定することができる情報である。端末情報としては、電話番号、端末番号、メールアドレスを用いることができる。
【００６２】
通信ユニット１００は、ステップＳ４で第２携帯電話機５０ａが近距離通信で第２携帯電話機５０ｂの端末情報を取得したら、ステップＳ５として、ＧＰＳ信号を受信し、第２携帯電話機５０ａ、つまり自機の位置情報を取得する。第２携帯電話機５０ａは、ＧＰＳ通信部６４によりＧＰＳ信号を取得し、取得したＧＰＳ信号を解析して自機の現在の位置の情報を取得する。
【００６３】
通信ユニット１００は、ステップＳ５で第２携帯電話機５０ａが自機の位置情報を取得したら、ステップＳ６として、第２携帯電話機５０ａから第１携帯電話機１０に第２携帯電話機５０ａの位置情報を返信する。つまり、第２携帯電話機５０ａは、ステップＳ５で取得した位置情報を第１携帯電話機１０に送信する。第２携帯電話機５０ａは、自機の位置情報とともに第２携帯電話機５０ｂの位置情報を第１携帯電話機５０に送信する。本実施形態の通信ユニット１００は、自機の位置情報と同じ位置を第２携帯電話機５０ｂの位置情報とする。本実施形態の第２携帯電話機５０ａは、自機の位置情報と第２携帯電話機５０ｂの位置情報を含む電子メールを第１携帯電話機５０に送る。第１携帯電話機１０は、第２携帯電話機５０ａから送信された第２携帯電話機５０ａと第２携帯電話機５０ｂの位置情報を受信する。本実施形態の第１携帯電話機１０は、第２携帯電話機５０ａから送信された電子メールを受信することで、第２携帯電話機５０ａと第２携帯電話機５０ｂの位置情報を受信する。通信ユニット１００は、ステップＳ４で端末情報のみを出力したが、第２携帯電話機５０ｂで位置情報を検出し、検出した位置情報を端末情報と共に送信してもよい。
【００６４】
次に、図８を用いて、第２携帯電話機５０ａから送信された第２携帯電話機５０ａと第２携帯電話機５０ｂの位置情報を取得した第１携帯電話機１０で実行する処理について説明する。図８は、第１携帯電話機の表示部２６に表示される画面の一例を示す図である。第１携帯電話機１０は、第２携帯電話機５０ａ、５０ｂの位置情報を取得した場合、図８に示すように、第２携帯電話機５０ａ、５０ｂの位置を示す地図画像１０１をディスプレイ１２に表示させる。地図画像１０１は、第２携帯電話機５０ａ、５０ｂの位置情報を含む範囲の地図である。地図画像１０１は、マーク１０２、１０４を含む。マーク１０２は、第２携帯電話機５０ａの位置を示している。マーク１０４は、第２携帯電話機５０ｂの位置を示している。
【００６５】
次に、図９を用いて、通信ユニット１００で実行される処理の他の例を説明する。図９は、第１携帯電話機１０と第２携帯電話機５０ａと第２携帯電話機５０ｂとの間で近距離通信のペアリングが失敗した場合に実行される制御の一例である。
【００６６】
図９に示すように、通信ユニット１００は、ステップＳ１１として、第１携帯電話機１０が緊急地震速報を受信する。通信ユニット１００は、ステップＳ１１で第１携帯電話機１０が緊急地震速報を受信したら、ステップＳ１２として、第１携帯電話機１０から第２携帯電話機５０ａ、５０ｂに現在位置要求コマンドを出力し、第１携帯電話機１０から出力された現在位置要求コマンドを第２携帯電話機５０ａ、５０ｂが受信する。
【００６７】
第２携帯電話機５０ａ、５０ｂは、ステップＳ１２で受信した位置情報要求を含む電子メールの解析を行い、当該位置情報要求のコマンドが緊急地震速報に起因すると判定した場合、ステップＳ１３として、ペアリング処理、つまり近距離通信部６６を用いた通信の確立の処理を開始し、ペアリング処理を失敗する。つまり、通信ユニット１００は、ステップＳ１３で第２携帯電話機５０ａと第２携帯電話機５０ｂの両方で実行したペアリング処理が失敗し、第２携帯電話機５０ａと第２携帯電話機５０ｂとの間で近距離通信による通信が確立されないことを検出する。
【００６８】
第２携帯電話機５０ａは、ステップＳ１３でペアリングの失敗を検出したら、ステップＳ１４として、ＧＰＳ信号を受信し、第２携帯電話機５０ａ、つまり自機の位置情報を取得する。第２携帯電話機５０ａは、ＧＰＳ通信部６４によりＧＰＳ信号を取得し、取得したＧＰＳ信号を解析して自機の現在の位置の情報を取得する。
【００６９】
通信ユニット１００は、ステップＳ１４で第２携帯電話機５０ａが自機の位置情報を取得したら、ステップＳ１５として、第２携帯電話機５０ａから第１携帯電話機１０に第２携帯電話機５０ａの位置情報を返信する。つまり、第２携帯電話機５０ａは、ステップＳ１４で取得した位置情報を第１携帯電話機５０に送信する。本実施形態の第２携帯電話機５０ａは、位置情報を含む電子メールを第１携帯電話機５０に送る。第１携帯電話機１０は、第２携帯電話機５０ａから送信された第２携帯電話機５０ａの位置情報を受信する。
【００７０】
さらに、通信ユニット１００は、ステップＳ１６として、ＧＰＳ信号を受信し、第２携帯電話機５０ｂ、つまり自機の位置情報を取得する。第２携帯電話機５０ｂは、ＧＰＳ通信部６４によりＧＰＳ信号を取得し、取得したＧＰＳ信号を解析して自機の現在の位置の情報を取得する。
【００７１】
通信ユニット１００は、ステップＳ１６で第２携帯電話機５０ｂが自機の位置情報を取得したら、ステップＳ１７として、第２携帯電話機５０ｂから第１携帯電話機１０に第２携帯電話機５０ｂの位置情報を返信する。つまり、第２携帯電話機５０ａは、ステップＳ１７の処理として、ステップＳ１４で取得した位置情報を第１携帯電話機１０に送信する。本実施形態の第２携帯電話機５０ａは、位置情報を含む電子メールを第１携帯電話機５０に送る。第１携帯電話機１０は、第２携帯電話機５０ｂから送信された第２携帯電話機５０ｂの位置情報を受信する。なお、図９のステップＳ１４、Ｓ１５の処理とステップＳ１６、Ｓ１７の処理は、順序が逆でもよい。
【００７２】
第１携帯電話機１０は、第２携帯電話機５０ａ、５０ｂのそれぞれから出力された位置情報に基づいて、図８と同様に第２携帯電話機５０ａ、５０ｂの位置が含まれた地図の画像を表示させる。第１携帯電話機１０は、第２携帯電話機５０ａ、５０ｂの位置の両方が含まれた１つの地図を表示させることが好ましい。
【００７３】
次に、図１０を用いて、第２携帯電話機５０（第２携帯電話機５０ａ、５０ｂ）で実行する処理について説明する。図１０は、第２携帯電話機で実行される処理の一例を示すフローチャートである。図１０に示す処理は、第２携帯電話機５０の制御部７０が記憶部６８に記憶されたプログラムを処理して各動作を実行することで実現することができる。
【００７４】
制御部７０は、ステップＳ４０として位置情報要求を受信すると、ステップＳ４１として、他の第２携帯電話機５０とのペアリング処理を実行する。制御部７０は、ステップＳ４１でペアリング処理を実行したら、ステップＳ４２でペアリングに成功したかを判定する。つまり、制御部７０は、同じ第１携帯電話機１０に対応付けられている他の第２携帯電話機５０と近距離通信による通信を確立したかを判定する。
【００７５】
制御部７０は、ステップＳ４２でペアリングに失敗（ステップＳ４２でＮｏ）つまり通信を確立されていないと判定した場合、ステップＳ４３として、ＧＰＳ信号を受信し、位置を特定する。つまり、制御部７０は、ＧＰＳ通信部６４を用いてＧＰＳ信号を受信し、受信したＧＰＳ信号を処理して第２携帯電話機５０の位置を特定する。制御部７０は、ステップＳ４３で位置を特定したら、ステップＳ４４として、第１携帯電話機１０に位置情報を出力し、本処理を終了する。つまり制御部７０は、取得した位置情報を対応付けられている特定の第１携帯電話機１０に出力する。位置情報の出力方法は、特に限定されないが、上述したように電子メールとして出力することが好ましい。
【００７６】
制御部７０は、ステップＳ４２でペアリングに成功（ステップＳ４２でＹｅｓ）つまり通信を確立したと判定した場合、ステップＳ４５として、位置情報の送信設定があるかを判定する。ここで、位置情報の送信設定とは、ペアリングが成功した場合に、第１携帯電話機１０に検出した位置情報を送信する設定である。
【００７７】
制御部７０は、ステップＳ４５で送信設定なし（ステップＳ４５でＮｏ）と判定した場合、ステップＳ４６として、ペア相手に自機の情報を送信する。つまり、位置情報の送信設定がされていない場合、上述した図７の第２携帯電話機５０ｂのように、自機の端末情報をペアリングして通信を確立した他の第２携帯電話機５０、図７では第２携帯電話機５０ａに送信する。制御部７０は、ステップＳ４６で自機の情報を送信したら、本処理を終了する。このように、制御部７０は、ペアリング成功時に位置情報を第１携帯電話機１０に送信する送信設定がない場合、ペア相手の第２携帯電話機５０に自機の識別情報を送って処理を終了する。
【００７８】
制御部７０は、ステップＳ４５で送信設定あり（ステップＳ４５でＹｅｓ）と判定した場合、ステップＳ４７として、ＧＰＳ信号を受信し、位置を特定する。つまり、制御部７０は、ＧＰＳ通信部６４を用いてＧＰＳ信号を受信し、受信したＧＰＳ信号を処理して第２携帯電話機５０の位置を特定する。制御部７０は、ステップＳ４７で位置を特定したら、ステップＳ４８として、ペア相手の情報を取得する。具体的には、近距離通信でペア相手の第２携帯電話機５０から出力されるペア相手の第２携帯電話機５０の識別情報を近距離通信部６６で受信する。ステップＳ４７の処理とステップＳ４８の処理の順序は、逆でもよいし、同時でもよい。
【００７９】
制御部７０は、ステップＳ４７、Ｓ４８で自機の位置情報とペア相手の情報とを取得したら、ステップＳ４９として、第１携帯電話機１０に自機の位置情報とペア相手の情報を出力し、本処理を終了する。つまり制御部７０は、取得した自機の位置情報とペア相手の情報とを対応付けられている特定の第１携帯電話機１０に通信部５８で出力する。位置情報及びペア相手の情報の出力方法は、特に限定されないが、上述したように電子メールとして出力することが好ましい。このように、制御部７０は、位置情報の送信設定がされている場合、上述した図７の第２携帯電話機５０ａのように、検出した位置情報とペアリングが成功した他の第２携帯電話機５０の情報とを第１携帯電話機１０に送信する。
【００８０】
図１０に示す例では、ステップＳ４０で位置情報要求を受信した場合としたが、ステップＳ４０はこれに限定されない。第２携帯電話機５０は、上述したように位置情報を送信するトリガーとなる各種条件を満たしたと判定した場合、図１０の処理を実行すればよい。
【００８１】
次に、図１１を用いて、第１携帯電話機１０で実行する処理について説明する。図１１は、第１携帯電話機で実行される処理の一例を示すフローチャートである。図１１に示す処理は、第１携帯電話機１０の制御部４０が記憶部３４に記憶されたプログラムを処理して各動作を実行することで実現することができる。
【００８２】
制御部４０は、ステップＳ５０として、緊急地震速報を受信したかを判定する。制御部４０は、ステップＳ５０で緊急地震速報を受信していない（ステップＳ５０でＮｏ）と判定した場合、本処理を終了する。制御部４０は、ステップ５０で緊急地震速報を受信した（ステップＳ５０でＹｅｓ）と判定した場合、ステップＳ５２として、現在位置要求コマンドを対象の第２携帯電話機に送信する。つまり、制御部４０は、ステップＳ５２として対応付けられている複数の第２携帯電話機に現在位置要求コマンドを送信する。制御部４０は、例えば、現在位置要求コマンドを含む電子メールを通信部２８で複数の第２携帯電話機に送信する。
【００８３】
制御部４０は、ステップＳ５２で現在位置要求コマンドを対象の第２携帯電話機に送信した場合、ステップＳ５８として、第２携帯電話機から送信された位置情報を受信する。つまり、制御部４０は、ステップＳ５８で対応付けられた第２携帯電話機の位置情報を取得する。制御部４０は、ステップＳ５８で位置情報を受信したら、ステップＳ６０として、第２携帯電話機５０の位置情報とに基づいて地図の範囲、縮尺を特定する。具体的には、第２携帯電話機５０の位置が入る範囲を抽出し、抽出した範囲がディスプレイ１２に表示される縮尺を決定する。地図の範囲は、第２携帯電話機５０の位置が、画面の端部、つまり範囲の端から一定の割合以上離れた位置となるように決定する。地図の範囲は、第２携帯電話機５０の位置が画面の中心から一定の距離以内となるように決定してもよい。
【００８４】
制御部４０は、ステップＳ６０で地図の範囲と縮尺を特定したら、ステップＳ６２として、使用する地図データを抽出する。つまり、制御部４０は、使用する範囲と縮尺に対応する地図の画像データを抽出する。地図データは、記憶部３４に記憶してもよいし、通信部２８を用いた通信でサーバ６等の外部の通信装置から取得してもよい。
【００８５】
制御部４０は、ステップＳ６２で使用する地図データを抽出したら、ステップＳ６４として、地図データ上に第２携帯電話機５０の位置の表示、つまりマークの表示を追加する。制御部４０は、ステップＳ６４で位置の表示を追加したら、ステップＳ６５として、位置情報にペア相手の情報があるかを判定する。例えば、制御部４０は、ステップＳ５８で受信した第２携帯電話機５０の位置情報の電子メールに、第２携帯電話機５０がペアリングに成功した他の第２携帯電話機５０の端末情報が含まれているかを判定する。制御部４０は、ステップＳ６５でペア相手の情報あり（ステップＳ６５でＹｅｓ）と判定した場合、ステップＳ６６として、地図データ上にペア相手の位置の表示を追加する。具体的には、制御部４０は、位置情報を取得した第２携帯電話機の位置の近傍にペア相手の位置の表示を追加する。制御部４０は、ステップＳ６６で位置情報の表示を追加したら、ステップＳ６８に進む。
【００８６】
制御部４０は、ステップＳ６５でペア相手の情報なし（ステップＳ６５でＮｏ）と判定した場合、または、ステップＳ６６の処理を実行した場合、ステップＳ６８として表示部２６、本実施形態ではディスプレイ１２に地図を表示させる。制御部４０は、ステップＳ６８で表示部に地図を表示した場合、本処理を終了する。
【００８７】
通信システム１は、以上のように、第１携帯電話機１０が緊急地震速報を受信した場合、第１携帯電話機１０から対応する第２携帯電話機５０に位置情報要求を出力させ、第２携帯電話機５０の位置を取得する処理を実行する。これにより、通信システム１は、緊急地震速報が出願された状態、つまり緊急性が高い場合、保護する複数の対象者がそれぞれ所持する第２携帯電話機５０の位置を保護者が所持する第１携帯電話機１０に通知することができる。
【００８８】
通信システム１は、緊急地震速報に起因して第１携帯電話機１０から位置情報要求が出力された場合、対応する複数の第２携帯電話機５０間でペアリングを行い、ペアリングが成功、つまり対応する複数の第２携帯電話機５０の間で近距離通信による通信が確立された場合、１つの第２携帯電話機５０が、ペアリングに成功した他の第２携帯電話機５０の情報も合わせて送信する。ペアリングに成功した他の第２携帯電話機５０は、当該１つの第２携帯電話機５０を介して第１携帯電話機１０に自機の情報を送信し、通信部５８を介して位置情報を送信しない。つまり、通信システム１は、緊急地震速報の受信時に、第１携帯電話機１０に対応する複数の第２携帯電話機５０が近くにいる場合、１つの代表の第２携帯電話機５０が纏めて複数の第２携帯電話機５０の位置情報を送信する。
【００８９】
これにより、複数の第２携帯電話機５０を所持する対象者が一緒にいる場合、または一緒とみなせる範囲にいる場合に、複数の第２携帯電話機５０で個別にネットワークを介して位置情報の送受信が行われることを抑制することができる。これにより、１つの第１携帯電話機１０と１つの第２携帯電話機５０との間の情報の送受信で、複数台の第２携帯電話機５０の位置情報を送受信することができる。第１携帯電話機１０は、１つの情報の受信で、複数台の第２携帯電話機５０の位置情報を取得することで、近傍にある複数台の第２携帯電話機５０の位置を１つの地図に同時に表示させることができる。これにより、複数台の第２携帯電話機５０の位置情報を別々に表示させた地図を切り換えたり、個別に取得した位置情報を併合させる処理をする必要がなくなり、操作性を高くすることができる。また、位置情報を１台の第２携帯電話機５０でまとめて第１携帯電話機１０に送信することで、ネットワークを介した通信の回線数を少なくすることができるため、ネットワークにかかる負荷も少なくすることができる。
【００９０】
通信システム１及び第１携帯電話機１０は、第２携帯電話機５０がペアリングを失敗した場合、個別に第２携帯電話機５０の位置情報を取得し、第２携帯電話機５０の位置情報を含む地図を個別に表示させる。これにより、通信システム１及び第１携帯電話機１０は、第２携帯電話機５０が離れている場合もそれぞれの第２携帯電話機５０の位置を地図上に表示させることができる。これにより、第１携帯電話機１０は、ユーザである保護者に対して、第２携帯電話機５０のユーザである複数の保護の対象者の位置を示すことができる。
【００９１】
ここで、上記実施形態の通信システム１は、第１携帯電話機１０が緊急地震速報を受信した場合、ペアリング処理を実行する場合として説明したが、上述した緊急地震速報以外の緊急情報を含む電子メールも同様に第２携帯電話機５０間でペアリング処理を実行してもよい。通信システム１は、第１携帯電話機１０が予め設定された所定のメッセージに起因して、つまり受信したことをトリガーとして位置情報要求を送信する場合も、ペアリング処理を実行してもよい。
【００９２】
上記実施形態の通信システム１は、ペアリングが成功した場合、他の第２携帯電話機５０の端末情報のみを赤外線通信で第２携帯電話機（第１携帯電話機に通信部５８を用いて位置情報を送信する第２携帯電話機）に送信するようにしたがこれに限定されない。他の第２携帯電話機５０は、端末情報に加え、ＧＰＳ通信部６４で取得した自機の位置情報を送信するようにしてもよい。この場合、第２携帯電話機５０は、通信部５８を用いて第１携帯電話機に他の第２携帯電話機の端末情報と位置情報を送信する。これにより、第１携帯電話機１０は、他の第２携帯電話機５０の位置情報をより高い精度で取得することができる。
【００９３】
通信システム１は、ステップＳ４５で判定した位置情報の送信設定の有無を、種々の条件で決定することができる。例えば、通信システム１は、位置情報の送信設定の有無を予め設定し記憶部６８に記憶していてもよい。これにより、複数の第２携帯電話機５０は、ペアリングが成功した場合、設定に基づいて、位置情報の送信設定の有無を判定し、その判定に基づいた処理を実行させることができる。
【００９４】
別の方法として、通信システム１は、近距離通信部６６を用いた近距離通信の確立時、つまりペアリング処理にマスターとなった第２携帯電話機５０を位置情報の送信設定ありとし、スレーブとなった第２携帯電話機５０を位置情報の送信設定なしとすることができる。これにより、通信システム１は、対応付けられた第２携帯電話機が多数ある場合も、順位付け等を設定しなくても複数の第２携帯電話機５０の中の１つの第２携帯電話機５０を位置情報の送信設定ありの第２携帯電話機５０とすることができる。
【００９５】
上記実施形態の通信システム１の第２携帯電話機５０は、位置情報要求（現在位置要求コマンド）を受信した場合、ペアリング処理を実行したが、これに限定されない。以下、図１２を用いて、第２携帯電話機５０で実行する処理について説明する。図１２は、第２携帯電話機で実行される処理の一例を示すフローチャートである。図１２は、第２携帯電話機が緊急地震速報を受信した場合、ペアリング処理を実行する処理である。
【００９６】
制御部７０は、ステップＳ７０として、緊急地震速報を受信したかを判定する。制御部７０は、ステップＳ７０で緊急地震速報を受信していない（ステップＳ７０でＮｏ）と判定した場合、本処理を終了する。制御部７０は、ステップＳ７０で緊急地震速報を受信した（ステップＳ７０でＹｅｓ）と判定した場合、ステップＳ７２として、他の第２携帯電話機とのペアリング処理を実行する。制御部７０は、ステップＳ７２でペアリング処理を実行したら、ステップＳ７４でペアリングに成功したかを判定する。つまり、制御部７０は、位置情報要求を送信した第１携帯電話機１０と近距離通信による通信を確立したかを判定する。制御部７０は、ステップＳ７４でペアリングに失敗（ステップＳ７４でＮｏ）つまり通信を確立されていないと判定した場合、ステップＳ７６として、ＧＰＳ信号を受信し、位置を特定する。制御部７０は、ステップＳ７６で位置を特定したら、ステップＳ７８として、第１携帯電話機１０に位置情報を出力し、本処理を終了する。
【００９７】
制御部７０は、ステップＳ７４でペアリングに成功（ステップＳ７４でＹｅｓ）つまり通信を確立したと判定した場合、ステップＳ８０として、位置情報の送信設定があるかを判定する。制御部７０は、ステップＳ８０で送信設定なし（ステップＳ８０でＮｏ）と判定した場合、ステップＳ８２として、ペア相手に自機の情報を送信し、本処理を終了する。
【００９８】
制御部７０は、ステップＳ８０で送信設定あり（ステップＳ８０でＹｅｓ）と判定した場合、ステップＳ８４として、ＧＰＳ信号を受信し、位置を特定する。制御部７０は、ステップＳ８４で位置を特定したら、ステップＳ８６として、ペア相手の情報を取得する。
【００９９】
制御部７０は、ステップＳ８４、Ｓ８６で自機の位置情報とペア相手の情報とを取得したら、ステップＳ８８として、第１携帯電話機１０に自機の位置情報とペア相手の情報を出力し、本処理を終了する。
【０１００】
このように、通信システム１は、第１携帯電話機１０から送信された電子メール以外の処理が実行された場合も、ペアリング処理を実行するようにしてもよい。具体的には、第２携帯電話機５０から第１携帯電話機１０に位置情報を送信する処理を実行する場合、位置情報の送信処理を実行する前に、ペアリング処理を実行するようにしてもよい。
【０１０１】
ここで、通信システム１は、第１携帯電話機１０の操作部２４をユーザが操作し、第２携帯電話機５０の位置情報を取得する場合は、ペアリング処理の結果に係らずまたはペアリング処理を実行せずに、第２携帯電話機５０の位置情報を第１携帯電話機１０に送信することが好ましい。これにより、第１携帯電話機１０のユーザが第２携帯電話機５０の位置を検出する操作を実行した場合、第２携帯電話機５０が近くにある場合も位置情報を取得することができる。また、通信システム１は、ペアリング処理を省略することで、第２携帯電話機５０のそれぞれの位置を第１携帯電話機により迅速に伝達することができる。
【０１０２】
通信システム１の第１携帯電話機１０と第２携帯電話機５０は、第２携帯電話機の位置情報を取得する処理を実行するトリガーとなる処理に応じて、実行する処理が変化することが好ましい。第２携帯電話機５０は、第１携帯電話機１０に位置情報を送信するトリガーに応じて、他の第２携帯電話機５０とペアリングを実行するか否かを切り替えてもよい。通信システム１は、第２携帯電話機５０から第１携帯電話機１０に位置情報を送信する処理を実行する場合、当該処理を開始するトリガーによって、実行する処理を切り換えることで、より適切な処理を実行することができる。
【０１０３】
通信システム１は、第２携帯電話機５０と他の第２携帯電話機との間でペアリングを実行したが、さらに、第２携帯電話機５０と第１携帯電話機１０との間でも近距離通信によるペアリングを実行してもよい。この場合、通信システム１の第２携帯電話機５０は、第１携帯電話機１０との間でペアリングを成功したら、自機の位置情報を送信しない。これにより、第２携帯電話機５０が第１携帯電話機１０の近傍にあり、位置が把握できている可能性が高い場合、第２携帯電話機５０から第１携帯電話機１０に通信部５８を介して位置情報が送信されることを抑制することができる。これにより、第１携帯電話機１０に位置が把握できている第２携帯電話機５０の位置を示す地図が表示されることを抑制でき、操作性を向上させることができる。
【０１０４】
また、上記実施形態の通信システム１は、第２携帯電話機の位置情報を出力する場合、第２携帯電話機の位置情報のみを地図上に表示させたが、第１携帯電話機１０の位置も合わせて地図上に表示させることも好ましい。
【０１０５】
図１３を用いて、第１携帯電話機１０で実行する処理について説明する。図１３は、第１携帯電話機で実行される処理の一例を示すフローチャートである。図１３に示す処理は、第１携帯電話機１０の制御部４０が記憶部３４に記憶されたプログラムを処理して各動作を実行することで実現することができる。図１３に示す処理は、第２携帯電話機の位置を第１携帯電話機に送信した後の処理である。
【０１０６】
制御部４０は、ステップＳ１４２として、第２携帯電話機から送信された位置情報を受信する。つまり、制御部４０は、ステップＳ１４２で第２携帯電話機の位置情報を取得する。制御部４０は、ステップＳ１４２で位置情報を受信したら、ステップＳ１４４として、ＧＰＳ信号を受信し、自端末である第１携帯電話機１０の位置を特定する。
【０１０７】
制御部４０は、ステップＳ１４４で位置を特定、つまり位置情報を取得したら、ステップＳ１４６として、第２携帯電話機５０の位置と第１携帯電話機１０の位置とに基づいて地図の範囲、縮尺を特定する。具体的には、第１携帯電話機１０の位置と第２携帯電話機５０の位置との両方が入る範囲を抽出し、抽出した範囲がディスプレイ１２に表示される縮尺を決定する。地図の範囲は、第１携帯電話機１０の位置と第２携帯電話機５０の位置との両方が、画面の端部、つまり範囲の端から一定の割合以上離れた位置となるように決定する。また、地図の範囲は、第２携帯電話機５０の位置が画面の中心から一定の距離以内となるように決定してもよい。
【０１０８】
制御部４０は、ステップＳ１４６で地図の範囲と縮尺を特定したら、ステップＳ１４８として、使用する地図データを抽出する。つまり、制御部４０は、使用する範囲と縮尺に対応する地図の画像データを抽出する。地図データは、記憶部３４に記憶してもよいし、通信部２８を用いた通信でサーバ６等の外部の通信装置から取得してもよい。
【０１０９】
制御部４０は、ステップＳ１４８で使用する地図データを抽出したら、ステップＳ１５０として、地図データ上に第２携帯電話機５０と第１携帯電話機１０の位置の表示、つまりマークの表示を追加する。制御部４０は、ステップＳ１５０で位置の表示を追加したら、ステップＳ１５１として、位置情報にペア相手の情報があるかを判定する。制御部４０は、ステップＳ１５１でペア相手の情報あり（ステップＳ１５１でＹｅｓ）と判定した場合、ステップＳ１５２として、地図データ上にペア相手の位置の表示を追加する。具体的には、制御部４０は、位置情報を取得した第２携帯電話機の位置の近傍にペア相手の位置の表示を追加する。制御部４０は、ステップＳ１５２で位置情報の表示を追加したら、ステップＳ１５３に進む。
【０１１０】
制御部４０は、ステップＳ１５１でペア相手の情報なし（ステップＳ１５１でＮｏ）と判定した場合、または、ステップＳ１５２の処理を実行した場合、ステップＳ１５３として表示部２６、本実施形態ではディスプレイ１２に地図を表示させる。
【０１１１】
制御部４０は、ステップＳ１５３で地図を表示したら、ステップＳ１５４として第２携帯電話機用の地図を表示するかを判定する。制御部４０は、設定した条件を満足した場合、第２携帯電話機用の地図を表示すると判定する。ここで、第２携帯電話機５０用の地図とは、図１５及び図１６に示すように、第２携帯電話機５０の位置を拡大して示す地図である。
【０１１２】
制御部４０は、ステップＳ１５４で地図を表示しない（ステップＳ１５４でＮｏ）と判定した場合、ステップＳ１６４に進む。制御部４０は、ステップＳ１５４で地図を表示する（ステップＳ１５４でＹｅｓ）と判定した場合、ステップＳ１５６として、第２携帯電話機５０の位置に基づいて地図の範囲、縮尺を特定する。具体的には、第２携帯電話機５０の位置が入る範囲を抽出し、抽出した範囲がディスプレイ１２に表示される縮尺を決定する。地図の範囲は、予め設定した大きさの範囲としてもよい。また、地図の縮尺は、予め設定した縮尺としてもよい。
【０１１３】
制御部４０は、ステップＳ１５６で地図の範囲と縮尺を特定したら、ステップＳ１５８として、使用する地図データを抽出する。つまり、制御部４０は、使用する範囲と縮尺に対応する地図の画像データを抽出する。
【０１１４】
制御部４０は、ステップＳ１５８で使用する地図データを抽出したら、ステップＳ１６０として、地図データ上に第２携帯電話機５０の位置の表示、つまりマークの表示を追加する。制御部４０は、ステップＳ１６０で位置の表示を追加したら、ステップＳ１６１として、位置情報にペア相手の情報があるかを判定する。制御部４０は、ステップＳ１６１でペア相手の情報あり（ステップＳ１６１でＹｅｓ）と判定した場合、ステップＳ１６２として、地図データ上にペア相手の位置の表示を追加する。具体的には、制御部４０は、位置情報を取得した第２携帯電話機の位置の近傍にペア相手の位置の表示を追加する。制御部４０は、ステップＳ１６２で位置情報を追加したら、ステップＳ１６３に進む。
【０１１５】
制御部４０は、ステップＳ１６１でペア相手の情報なし（ステップＳ１６１でＮｏ）と判定した場合、または、ステップＳ１６２の処理を実行した場合、ステップＳ１６３として表示部２６、本実施形態ではディスプレイ１２に第２携帯電話機用の地図を表示させる。なお、ステップＳ１６０で作成した地図画像は、ディスプレイ１２の一部に表示させてもよく、全体に表示させてもよい。
【０１１６】
制御部４０は、ステップＳ１６３の処理を行ったら、またはステップＳ１５４でＮｏと判定した場合、ステップＳ１６４として表示終了かを判定する。制御部４０は、ステップＳ１６４で表示終了ではない（ステップ１６４でＮｏ）と判定した場合、ステップＳ１５４に進み、上記処理を繰り返す。制御部４０は、ステップＳ１６４で表示終了（ステップＳ１６４でＹｅｓ）と判定した場合、本処理を終了する。
【０１１７】
次に、図１４から図１６を用いて、第１携帯電話機１０の位置情報と第２携帯電話機５０の位置情報を取得した第１携帯電話機１０で実行する処理について説明する。図１４から図１６は、それぞれ第１携帯電話機の表示部に表示される画面の一例を示す図である。図１４は、図１３のステップＳ１５２で表示される地図の一例であり、図１５及び図１６は、それぞれ図１３のステップＳ１６２で表示される地図の一例である。
【０１１８】
第１携帯電話機１０は、第１携帯電話機１０の位置情報と２台の第２携帯電話機５０の位置情報を取得した場合、図１４に示すように、３台の位置を示す地図画像１１０をディスプレイ１２に表示させる。２台の第２携帯電話機５０の位置情報は、２台のそれぞれの位置情報でもよいが、上述したように、１つの第２携帯電話機５０の位置情報と他の第２携帯電話機５０の端末情報、つまり、他の第２携帯電話機５０が１つの第２携帯電話機５０の近くにあることを示す情報でもよい。地図画像１１０は、第１携帯電話機１０の位置情報と第２携帯電話機５０の位置情報との両方を含む範囲の地図である。地図画像１１０は、マーク１１２とマーク１１３と、マーク１１４とを含む。マーク１１２は、第２携帯電話機５０の位置を示している。マーク１１３は、他の第２携帯電話機５０の位置を示している。マーク１１４は、第１携帯電話機１０の位置を示している。
【０１１９】
通信システム１及び第１携帯電話機１０は、図１４に示すように２台の第２携帯電話機５０の位置情報を取得した場合、第１携帯電話機１０の位置情報も取得して、第１携帯電話機１０の位置情報と２台の第２携帯電話機５０の位置情報の両方の位置を含む地図を表示させる。これにより、通信システム１及び第１携帯電話機１０は、第１携帯電話機１０のユーザに第１携帯電話機１０の位置と２台の第２携帯電話機５０の位置との相対関係をよりわかりやすく表示させることができる。ここで、２台の第２携帯電話機５０は、近傍にあるため、第１携帯電話機１０と１台の第２携帯電話機５０とで地図の範囲を決定することで、第１携帯電話機１０の位置と２台の第２携帯電話機５０の位置とを含む範囲の地図の範囲を決定することができる。これにより、第１携帯電話機１０は、ユーザである保護者に対して、自身の位置と２台の第２携帯電話機５０のユーザであるそれぞれの保護の対象者の位置との相対関係をわかりやすい状態で示すことができる。ユーザである保護者は、相対的な位置関係が把握できることで、第２携帯電話機５０がある位置に土地勘がない状態でも、第２携帯電話機５０の位置を把握しやすくすることができる。
【０１２０】
第１携帯電話機１０は、図１４に示すマーク１１２、１１３、１１４を含む地図画像１１０をディスプレイ１２に表示させている状態で、設定した条件が満たされた場合、ディスプレイ１２に図１５に示す地図画像１２０を表示させる。なお、設定した条件としては、所定時間の経過や、設定した操作の検出等がある。地図画像１２０は、地図画像１１０の一部、具体的には、第２携帯電話機５０の位置を含む範囲の地図である。つまり、地図画像１２０は、地図画像１１０の範囲のうち、第２携帯電話機５０の位置の周辺部分を拡大した画像である。地図画像１２０は、マーク１１２ａとマーク１１３ａとテキスト１２２とを含む。マーク１１２ａは、第２携帯電話機５０の位置を示している。マーク１１３ａは、他の第２携帯電話機５０の位置を示している。テキスト１２２は、第２携帯電話機５０の位置の住所である。
【０１２１】
通信システム１及び第１携帯電話機１０は、地図画像１１０を示している状態で、所定の条件が満たされた場合、図１５に示す複数の第２携帯電話機５０の位置を拡大して示す地図画像１２０を表示させることで、第２携帯電話機５０の位置をより正確に把握することができる。つまり、ユーザは、図１４に示す地図画像１１０で相対位置を把握し、その後、地図画像１２０で第２携帯電話機５０の正確な位置を把握することができる。これにより、例えば、第２携帯電話機５０を探している場合、どの位置にいるかを見つけやすくすることができる。
【０１２２】
第１携帯電話機１０は、図１４に示すマーク１１２、１１４を含む地図画像１１０をディスプレイ１２に表示させている状態で、設定した条件が満たされた場合、ディスプレイ１２に図１６に示す地図画像１１０ａを表示させてもよい。地図画像１１０ａは、地図画像１１０と同じ範囲の地図の画像であり、マーク１１２とマーク１１３とマーク１１４と地図画像１３０とを含む。つまり、地図画像１１０ａは、地図画像１１０の上に地図画像１３０を重ねた画像である。地図画像１３０は、地図画像１１０ａの一部、具体的には、マーク１１２とマーク１１３とマーク１１４とに重ならない領域に表示されている。地図画像１３０は、地図画像１１０の一部、具体的には、第２携帯電話機５０の位置を含む範囲の地図である。つまり、地図画像１３０は、地図画像１１０の範囲のうち、第２携帯電話機５０の位置の周辺部分を拡大した画像である。地図画像１３０は、マーク１１２ｂとマーク１１３ｂとテキスト１３２とを含む。マーク１１２ｂは、第２携帯電話機５０の位置を示している。マーク１１３ｂは、他の第２携帯電話機５０の位置を示している。テキスト１３２は、第２携帯電話機５０の位置の住所である。
【０１２３】
通信システム１及び第１携帯電話機１０は、地図画像１１０を示している状態で、所定の条件が満たされた場合、図１６に示す地図画像１１０ａを表示させることで、自身の位置と第２携帯電話機５０の位置との相対位置を把握しつつ、第２携帯電話機５０の位置をより正確に把握することができる。つまり、ユーザは、地図画像１１０ａの地図画像１１０と同様の構成の部分で相対位置を把握し、かつ、地図画像１３０で複数の第２携帯電話機５０の正確な位置を把握することができる。これにより、例えば、複数の第２携帯電話機５０を探している場合、どの位置にいるかを見つけやすくすることができる。なお、通信システム１及び第１携帯電話機１０は、地図画像１１０を表示させずに地図画像１１０ａを最初に表示させてもよい。
【０１２４】
上述した実施形態の通信システム１は、第１携帯電話機１０から複数の第２携帯電話機５０に第２携帯電話機５０の位置情報を送信する指示を送信した後、ペアリング処理を行ったがこれに限定されない。通信システム１は、第２携帯電話機５０から第１携帯電話機５０に位置情報を送信する指示が検出された場合、近距離通信部によるペアリング処理を実行してもよい。この場合、第２携帯電話機５０と他の第２携帯電話機５０とは、近距離通信部を実行した状態としたり、他の近距離通信部からの指示で起動する設定としたりすることで、第２携帯電話機５０間でペアリング処理を実行することができる。これにより、通信システム１は、上述した種々のトリガーの場合に同様の処理を実行することができる。さらに、通信システム１は、第２携帯電話機５０の一方のみが第２携帯電話機５０の位置情報を第１携帯電話機１０に送信する指示を取得した場合も同様の処理を実行することができる。
【０１２５】
上述した実施形態の通信システム１は、第１携帯電話機１０で少なくとも１つの第２携帯電話機５０の位置の表示が追加された地図データを作成した場合としたが、これに限定されない。例えば、第１携帯電話機１０は、少なくとも１つの第２携帯電話機５０の位置の表示が追加された地図データをサーバ６から取得してもよい。この場合、第１携帯電話機１０は、少なくとも１つの第２携帯電話機５０の位置情報と、少なくとも１つの第２携帯電話機５０の位置を含む地図データの取得要求と、をサーバ６に送信する。サーバ６は、第１携帯電話機１０から送信された地図データの取得要求、少なくとも１つの第２携帯電話機５０の位置情報を受信すると、少なくとも１つの第２携帯電話機５０の位置情報を含む地図データを作成する。サーバ６は、地図データを含む電子メールを第１携帯電話機１０に送信する。第１携帯電話機１０は、サーバ６から送信された地図データを含む電子メールを受信すると、当該地図データをディスプレイ２Ａに表示する。ここで、サーバ６は、地図データを含む電子メールを送信してもよいが、地図データのリンク先を示すアドレスを添付した電子メールを送信してもよい。第１携帯電話機１０は、地図データのリンク先を示すアドレスを添付した電子メールを受信した場合、当該アドレスにアクセスすることで第２携帯電話機５０及び自機の位置情報を含む地図データを取得することができる。
【０１２６】
通信システム１は、このように、サーバ６で第２携帯電話機５０と第１携帯電話機１０との位置の表示が追加された地図データを作成することで、第１携帯電話機１０で実行する処理を少なくすることができる。つまり、第１携帯電話機１０は、取得した第２携帯電話機５０の位置情報を含む地図データの取得要求を送信するのみで、第２携帯電話機５０の位置の表示が追加された地図データを取得することができる。
【０１２７】
通信システム１は、第１携帯電話機１０と第２携帯電話機５０との間で送受信される情報をサーバ６で監視し、情報を取得、加工してもよい。サーバ６は、第２携帯電話機５０から第１携帯電話機１０に送信される情報を解析し、少なくとも１つの第２携帯電話機５０の位置情報を取得してもよい。この場合、第１携帯電話機１０は、少なくとも１つの第２携帯電話機５０の位置情報を含む地図データの取得要求を送信することで、地図データを取得することができる。また、サーバ６は、第２携帯電話機５０から送信される位置情報を含む電子メールに基づいて少なくとも１つの第２携帯電話機５０の位置情報を含む地図データを作成し、当該電子メールに作成した地図データのリンク先を示すアドレスを添付し、第１携帯電話機１０に送信してもよい。つまり、通信システム１は、第２携帯電話機５０から第１携帯電話機１０に送信される位置情報を含む電子メールに作成した地図データのリンク先を示すアドレスを添付してもよい。この場合、これにより、第１携帯電話機１０のユーザは、リンク先の地図データを取得することで、当該地図を表示部に表示させることができる。
【０１２８】
また、上記実施形態では、第２携帯電話機５０が自機または自機及びペアリング相手の位置情報を送信したが、これに限定されない。第１携帯電話機１０は、第２携帯電話機５０で送信された少なくとも１つの位置情報を含む情報を受信した場合、当該少なくとも１つの位置情報を含む地図データを表示すればよい。例えば、第１携帯電話機１０は、第２携帯電話機５０で送信された当該第２携帯電話機５０以外の携帯電話機の位置情報を受信した場合も、同様に当該位置情報を含む地図データを表示することができる。なお、位置情報は、携帯電話機の位置に特定されない。
【０１２９】
上記の実施形態では、第２携帯電話機５０が近距離通信部を用いて他の第２携帯電話機５０と通信を確立させた場合、一方の第２携帯電話機５０が自機及びペアリング相手の位置情報を送信したが、これに限定されない。第２携帯電話機５０は、自機及びペアリング相手の位置情報の少なくとも一方の位置情報を送信すればよい。通信システム１は、第２携帯電話機５０が近距離通信部を用いて他の第２形態電話機５０と通信を確立させた場合、２つの第２携帯電話機が一定の距離以内にいるため、いずれか一方の位置情報のみを送信することでも２つの第２携帯電話機の位置を特定することができる。なお、この場合、一方の第２携帯電話機は、他の第２携帯電話機と近距離通信部を用いた通信が確立されたことを示す情報を合わせて送信することが好ましい。
【０１３０】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【０１３１】
上記の実施形態では、第１携帯電話機１０として折り畳み式の携帯電話機を一例として説明した。添付の請求項に係る第１通信装置は、携帯電話機以外の電子メールの送受信機能を備えた各種通信機器であってもよい。通信機器は、例えばスマートフォン、タブレット、パソコン、デジタルカメラ、メディアプレイヤ、電子書籍リーダ、ナビゲータ、テレビジョン受信機、及びゲーム機である。
【符号の説明】
【０１３２】
１  通信システム
１０、１０ａ、１０ｂ  第１携帯電話機
１０Ｃ  筐体
２１、５４  マイク
２２、５５  スピーカ
２３、５６  レシーバ
２４、５３  操作部
２５  加速度センサ
２６、５７  表示部
２７  カメラ
２８、５８  通信部
３０、６０  音声処理部
３２、６４  ＧＰＳ通信部
３３  近距離通信部
３４、６８  記憶部
４０、７０  制御部
５０、５０ａ、５０ｂ  第２携帯電話機
６１  スイッチ部材
６２  スイッチ位置検出部
【図１】
0005757913.tif 000002
【図２】
0005757913.tif 000003
【図３】
0005757913.tif 000004
【図４】
0005757913.tif 000005
【図５】
0005757913.tif 000006
【図６】
0005757913.tif 000007
【図７】
0005757913.tif 000008
【図８】
0005757913.tif 000009
【図９】
0005757913.tif 000010
【図１０】
0005757913.tif 000011
【図１１】
0005757913.tif 000012
【図１２】
0005757913.tif 000013
【図１３】
0005757913.tif 000014
【図１４】
0005757913.tif 000015
【図１５】
0005757913.tif 000016
【図１６】
0005757913.tif 000017